(57)【要約】【課題】遮断器が並べられた方向への装置の小型化を図ることで、限られた設置スペースにより多くの遮断器を設置することができるガス絶縁開閉装置を得ること。【解決手段】ガス絶縁開閉装置は、第１の方向に平行な第１の列６１に沿って並べられた複数の第１の遮断器１ａと、第１の方向に平行かつ第１の列６１と対向する第２の列６２に沿って並べられた複数の第２の遮断器１ｂと、を備える。第１の遮断器１ａからの第１の接続部５１ａの引き出し方向と、第２の遮断器１ｂからの第２の接続部５１ｂの引き出し方向が、第１の方向と垂直な方向であって互いに反対方向となっている。【選択図】図２
2017158397.tif 000002
【特許請求の範囲】
【請求項１】
第１の方向に平行な第１の列に沿って並べられた複数の第１の遮断器と、
隣接する前記第１の遮断器同士を接続する複数の第１の接続部と、
前記第１の接続部から分岐されて外部に導出される第１の分岐部と、
前記第１の方向に平行かつ前記第１の列と対向する第２の列に沿って並べられた複数の第２の遮断器と、
隣接する前記第２の遮断器同士を接続する複数の第２の接続部と、
前記第２の接続部から分岐されて外部に導出される第２の分岐部と、
複数の前記第１の遮断器のうち前記第１の方向に沿った一端側に配置された遮断器と、複数の前記第２の遮断器のうち前記第１の方向に沿った一端側に配置された遮断器と、を接続する一端側回帰母線と、
複数の前記第１の遮断器のうち前記第１の方向に沿った他端側に配置された遮断器と、複数の前記第２の遮断器のうち前記第１の方向に沿った他端側に配置された遮断器と、を接続する他端側回帰母線と、を備え、
前記第１の遮断器からの前記第１の接続部の引き出し方向と、前記第２の遮断器からの前記第２の接続部の引き出し方向が、前記第１の方向と垂直な方向であって互いに反対方向となることを特徴とするガス絶縁開閉装置。
【請求項２】
前記一端側回帰母線および前記他端側回帰母線は、水平に延びる水平部を有しており、
前記水平部は、前記遮断器の上端よりも高い位置に設けられることを特徴とする請求項１に記載のガス絶縁開閉装置。
【請求項３】
前記一端側回帰母線および前記他端側回帰母線は、水平に延びる水平部を有しており、
前記水平部は、前記遮断器の上端と同じ高さまたは前記遮断器の上端よりも低い位置に設けられることを特徴とする請求項１に記載のガス絶縁開閉装置。
【発明の詳細な説明】
【技術分野】
【０００１】
本発明は、タンクの内部に絶縁ガスが封入されたガス絶縁開閉装置に関するものである。
【背景技術】
【０００２】
ガス絶縁開閉装置には、構成機器である複数の遮断器が１列に並べて配置されたものがある。このようなガス絶縁開閉装置では、隣接する遮断器同士がユニット間母線で接続される。また、ユニット間母線からは分岐線が分岐されている。特許文献１に示すガス絶縁開閉装置では、ユニット間母線が引き出される方向が、すべての遮断器で統一されている。より具体的には、遮断器が並べられた方向と垂直な方向に、ユニット間母線が引き出されている。
【先行技術文献】
【特許文献】
【０００３】
【特許文献１】特開平８−２２３７１６号公報
【発明の概要】
【発明が解決しようとする課題】
【０００４】
このように、一列に遮断器を並べて配置したガス絶縁開閉装置では、遮断器が並べられた方向に装置が長くなるため、設置できる遮断器の数が限定されてしまう場合があった。
【０００５】
本発明は、上記に鑑みてなされたものであって、遮断器が並べられた方向への装置の小型化を図ることで、限られた設置スペースにより多くの遮断器を設置することができるガス絶縁開閉装置を得ることを目的とする。
【課題を解決するための手段】
【０００６】
上述した課題を解決し、目的を達成するために、本発明にかかるガス絶縁開閉装置は、第１の方向に平行な第１の列に沿って並べられた複数の第１の遮断器と、隣接する第１の遮断器同士を接続する複数の第１の接続部と、第１の接続部から分岐されて外部に導出される第１の分岐部と、を備える。また、ガス絶縁開閉装置は、第１の方向に平行かつ第１の列と対向する第２の列に沿って並べられた複数の第２の遮断器と、隣接する第２の遮断器同士を接続する複数の第２の接続部と、第２の接続部から分岐されて外部に導出される第２の分岐部と、を備える。また、ガス絶縁開閉装置は、複数の第１の遮断器のうち第１の方向に沿った一端側に配置された遮断器と、複数の第２の遮断器のうち第１の方向に沿った一端側に配置された遮断器と、を接続する一端側回帰母線と、複数の第１の遮断器のうち第１の方向に沿った他端側に配置された遮断器と、複数の第２の遮断器のうち第１の方向に沿った他端側に配置された遮断器と、を接続する他端側回帰母線と、を備える。また、第１の遮断器からの第１の接続部の引き出し方向と、第２の遮断器からの第２の接続部の引き出し方向が、第１の方向と垂直な方向であって互いに反対方向となる。
【発明の効果】
【０００７】
本発明にかかるガス絶縁開閉装置によれば、遮断器が並べられた方向への装置の小型化を図ることで、限られたスペースにより多くの遮断器を設置することができるという効果を奏する。
【図面の簡単な説明】
【０００８】
【図１】本発明の実施の形態１にかかるガス絶縁開閉装置の単線結線図
【図２】実施の形態１にかかるガス絶縁開閉装置の平面図
【図３】図２に示すＡ−Ａ線に沿った矢視断面図
【図４】図２に示すＢ−Ｂ線に沿った矢視断面図
【図５】図２に示すＣ−Ｃ線に沿った矢視断面図
【図６】図２に示すＤ−Ｄ線に沿った矢視断面図
【図７】本発明の実施の形態２にかかるガス絶縁開閉装置の平面図
【図８】図７に示すＥ−Ｅ線に沿った矢視断面図
【図９】図７に示すＦ−Ｆ線に沿った矢視断面図
【図１０】図７に示すＧ−Ｇ線に沿った矢視断面図
【図１１】図７に示すＨ−Ｈ線に沿った矢視断面図
【発明を実施するための形態】
【０００９】
以下に、本発明の実施の形態にかかるガス絶縁開閉装置を図面に基づいて詳細に説明する。なお、この実施の形態によりこの発明が限定されるものではない。
【００１０】
実施の形態１．
図１は、本発明の実施の形態１にかかるガス絶縁開閉装置の単線結線図である。図１を用いて、本実施の形態１にかかるガス絶縁開閉装置の概略構成を説明する。ガス絶縁開閉装置（ＧＩＳ）５０は、第１の方向である矢印Ｘに示す方向に平行な第１の列６１に沿って並べられた複数の第１の遮断器（ＣＢ）１ａと、隣接する第１の遮断器１ａ同士を接続する複数の第１の接続部５１ａと、第１の接続部５１ａから分岐されて主回路を外部に導出させる第１の分岐部５２ａと、を備える。
【００１１】
第１の接続部５１ａは、計器用変流器（ＣＴ）２、母線断路器／接地開閉器（母線ＤＳ／ＥＳ）３，４，５、およびユニット間母線８を有して、隣接する第１の遮断器１ａ同士を接続させる。なお、第１の接続部５１ａは、隣接する第１の遮断器１ａ同士を接続させるものであればよく、計器用変流器（ＣＴ）２、母線断路器／接地開閉器（母線ＤＳ／ＥＳ）３，４，５のすべてを備える必要はない。例えば、母線断路器／接地開閉器（母線ＤＳ／ＥＳ）３，４，５に代えて断路器を設けてもよい。
【００１２】
第１の分岐部５２ａは、線路側断路器／接地開閉器／投入容量付接地開閉器（線路側ＤＳ／ＥＳ／ＦＥＳ）６、ケーブル終端箱（ＣＳＥ）７を有して、ガス絶縁開閉装置５０の主回路を外部に導出させる。なお、第１の分岐部５２ａは、主回路を外部に導出させるものであればよく、線路側断路器／接地開閉器／投入容量付接地開閉器（線路側ＤＳ／ＥＳ／ＦＥＳ）６、ケーブル終端箱（ＣＳＥ）７のすべてを備える必要はない。例えば、ケーブル終端箱（ＣＳＥ）７を備えずに、気中ブッシングから主回路を外部に導出させる構成でもよい。
【００１３】
また、ガス絶縁開閉装置５０は、矢印Ｘに示す方向に平行かつ第１の列６１と対向する第２の列６２に沿って並べられた複数の第２の遮断器１ｂと、隣接する第２の遮断器１ｂ同士を接続する複数の第２の接続部５１ｂと、第２の接続部５１ｂから分岐されて主回路を外部に導出させる第２の分岐部５２ｂと、を備える。
【００１４】
第２の接続部５１ｂは、計器用変流器（ＣＴ）２、母線断路器／接地開閉器（母線ＤＳ／ＥＳ）３，４，５、およびユニット間母線８を有して、隣接する第２の遮断器１ｂ同士を接続させる。なお、第２の接続部５１ｂは、隣接する第２の遮断器１ｂ同士を接続させるものであればよく、計器用変流器（ＣＴ）２、母線断路器／接地開閉器（母線ＤＳ／ＥＳ）３，４，５のすべてを備える必要はない。例えば、母線断路器／接地開閉器（母線ＤＳ／ＥＳ）３，４，５に代えて断路器を設けてもよい。
【００１５】
第２の分岐部５２ｂは、線路側断路器／接地開閉器／投入容量付接地開閉器（線路側ＤＳ／ＥＳ／ＦＥＳ）６、ケーブル終端箱（ＣＳＥ）７を有して、ガス絶縁開閉装置５０の主回路を外部に導出させる。なお、第２の分岐部５２ｂは、主回路を外部に導出させるものであればよく、線路側断路器／接地開閉器／投入容量付接地開閉器（線路側ＤＳ／ＥＳ／ＦＥＳ）６、ケーブル終端箱（ＣＳＥ）７のすべてを備える必要はない。例えば、ケーブル終端箱（ＣＳＥ）７を備えずに、気中ブッシングから主回路を外部に導出させる構成でもよい。
【００１６】
また、ガス絶縁開閉装置５０は、複数の第１の遮断器１ａのうち矢印Ｘに示す方向における一端側に配置された第１の一端側遮断器１ａ１と、複数の第２の遮断器１ｂのうち矢印Ｘに示す方向における一端側に配置された第２の一端側遮断器１ｂ１と、を接続する一端側回帰母線１０を備える。
【００１７】
また、ガス絶縁開閉装置５０は、複数の第１の遮断器１ａのうち矢印Ｘに示す方向における他端側に配置された第１の他端側遮断器１ａ２と、複数の第２の遮断器１ｂのうち矢印Ｘに示す方向における他端側に配置された第２の他端側遮断器１ｂ２と、を接続する他端側回帰母線１１を備える。
【００１８】
このように、ガス絶縁開閉装置５０は、２列に設置された遮断器１ａ，１ｂが、接続部５１ａ，５１ｂおよび回帰母線１０，１１で接続されて全体として環状形状となる環状母線方式のガス絶縁開閉装置である。
【００１９】
次に、ガス絶縁開閉装置５０の実際の設置状態について説明する。図２は、実施の形態１にかかるガス絶縁開閉装置５０の平面図である。図３は、図２に示すＡ−Ａ線に沿った矢視断面図である。図４は、図２に示すＢ−Ｂ線に沿った矢視断面図である。図５は、図２に示すＣ−Ｃ線に沿った矢視断面図である。図６は、図２に示すＤ−Ｄ線に沿った矢視断面図である。ガス絶縁開閉装置５０は、タンクの内部に絶縁性のガス、例えばＳＦ６ガスが封入されて構成される。
【００２０】
ガス絶縁開閉装置５０では、第１の列６１に沿って４台の第１の遮断器１ａが配置されている。また、第２の列６２に沿って４台の第２の遮断器１ｂが配置されている。すなわち、４台の第１の遮断器１ａと、４台の第２の遮断器１ｂが互いに対向するように配置されている。
【００２１】
第１の遮断器１ａおよび第２の遮断器１ｂは、縦型の遮断器であり、上下に並んだ２つの口出し部６３を有する。この上下に並んだ２つの口出し部６３から、接続部５１ａ，５１ｂが水平に引き出される。
【００２２】
第１の遮断器１ａからの第１の接続部５１ａの引出し方向と、第２の遮断器１ｂからの第２の接続部５１ｂの引出し方向は、矢印Ｘに示す方向と垂直な方向である。また、第１の遮断器１ａからの第１の接続部５１ａの引出し方向と、第２の遮断器１ｂからの第２の接続部５１ｂの引出し方向とは、互いに反対を向く方向となっている。
【００２３】
次に、図４を用いて、第１の一端側遮断器１ａ１および第１の他端側遮断器１ａ２とならない第１の遮断器１ａの周辺の機器構成を説明する。上部にＣＢ操作装置２１が取り付けられた第１の遮断器１ａの上部の口出し部６３には計器用変流器２が接続される。また、計器用変流器２には、母線断路器／接地開閉器５が接続される。この母線断路器／接地開閉器５からは、第１の遮断器１ａの配列方向かつ水平にユニット間母線８が分岐され、隣接する第１の遮断器１ａすなわち図５に示す第１の遮断器１ａの上部の口出し部６３に接続された計器用変流器２および母線断路器／接地開閉器５に接続されて、環状母線が形成される。すなわち、図４に示す第１の遮断器１ａと、図５に示す第１の遮断器１ａとは、上部の口出し部６３同士が第１の接続部５１ａで接続されている。
【００２４】
また、図４に戻って、母線断路器／接地開閉器５からは、第１の分岐部５２ａである線路側断路器／接地開閉器／投入容量付接地開閉器６が分岐される。そして、線路側断路器／接地開閉器／投入容量付接地開閉器６に接続されたケーブル終端箱７からパワーケーブル３０が導出されることで、ガス絶縁開閉装置５０の主回路が外部に導出される。
【００２５】
また、第１の遮断器１ａの下部の口出し部６３には計器用変流器２が接続される。また、計器用変流器２には、母線断路器／接地開閉器３が接続される。この母線断路器／接地開閉器３からは、第１の遮断器１ａの配列方向かつ水平にユニット間母線８が分岐され（図２も参照）、隣接する第１の遮断器１ａすなわち図３に示す第１の遮断器１ａ（ここでは第１の一端側遮断器１ａ１）の下部の口出し部６３に接続された計器用変流器２および母線断路器／接地開閉器３に接続されて、環状母線が形成される。すなわち、図４に示す第１の遮断器１ａと、図３に示す第１の一端側遮断器１ａ１とは、下部の口出し部６３同士が第１の接続部５１ａで接続されている。
【００２６】
なお、第２の一端側遮断器１ｂ１および第２の他端側遮断器１ｂ２とならない第２の遮断器１ｂの周辺の機器構成は、第２の接続部５１ｂの引き出し方向と第１の接続部５１ａの引出し方向、すなわち口出し部６３の向き同士が、反対となる方向を向いている点以外は基本的に同じであるため、詳細な説明を省略する。
【００２７】
次に、図３を用いて、第１の一端側遮断器１ａ１の周辺の機器構成を説明する。上述したように、第１の一端側遮断器１ａ１の下部の口出し部６３には、図４に示す第１の遮断器１ａから引き出された第１の接続部５１ａが接続される。
【００２８】
第１の一端側遮断器１ａ１の上部の口出し部６３には、計器用変流器２が接続される。また、計器用変流器２には、母線断路器／接地開閉器４が接続される。この母線断路器／接地開閉器４からは、一端側回帰母線１０が引き出される。この一端側回帰母線１０は、第２の一端側遮断器１ｂ１に接続される。すなわち、第１の一端側遮断器１ａ１と第２の一端側遮断器１ｂ１とは、一端側回帰母線１０で接続される。
【００２９】
なお、一端側回帰母線１０は、母線断路器／接地開閉器４から鉛直に引き出された鉛直部１０ａと、鉛直部同士を連結する水平部１０ｂとを有する。この構成により、第１の一端側遮断器１ａ１および第２の一端側遮断器１ｂ１の上端よりも高い位置を一端側回帰母線１０の水平部１０ｂが通過する。これに対して、図２および図３の二点鎖線で示す位置、すなわち第１の一端側遮断器１ａ１および第２の一端側遮断器１ｂ１の上端と同じ高さまたはそれよりも低い位置に一端側回帰母線１０の水平部１０ｂを通過させてもよい。
【００３０】
なお、第１の他端側遮断器１ａ２と第２の他端側遮断器１ｂ２とを接続させる他端側回帰母線１１についても、一端側回帰母線１０と同様に鉛直部１１ａと水平部１１ｂを有する構成であり、詳細な説明を省略する。
【００３１】
母線断路器／接地開閉器４からは、第１の分岐部５２ａである線路側断路器／接地開閉器／投入容量付接地開閉器６が分岐される。そして、線路側断路器／接地開閉器／投入容量付接地開閉器６に接続されたケーブル終端箱７からパワーケーブル３０が導出されることで、ガス絶縁開閉装置５０の主回路が外部に導出される。
【００３２】
なお、母線断路器／接地開閉器３，４，５には、母線断路器／接地開閉器３，４，５を操作する操作装置２３，２４，２５が取り付けられている。また、線路側断路器／接地開閉器／投入容量付接地開閉器６には、線路側断路器／接地開閉器／投入容量付接地開閉器６を操作する操作装置２６，２７が取り付けられている。
【００３３】
以上説明したように、本実施の形態１にかかるガス絶縁開閉装置５０では、複数の遮断器１ａ，１ｂを二列に配置することで、矢印Ｘに示す方向、すなわち遮断器１ａ，１ｂが並べられた方向へのガス絶縁開閉装置５０の小型化を図ることができる。これにより、ガス絶縁開閉装置５０の限られた設置スペースにより多くの遮断器１ａ，１ｂを設置することができる。
【００３４】
また、第１の列６１に沿って並べられた第１の遮断器１ａと、第２の列６２に沿って並べられた第２の遮断器１ｂとで、接続部５１ａ，５１ｂの引出し方向を反対方向としているので、第１の遮断器１ａと第２の遮断器１ｂとの間に、操作装置２３，２４，２６，２７を操作またはメンテナンスするためのスペースを設ける必要がない。そのため、矢印Ｙに示す方向へのガス絶縁開閉装置５０の小型化を図ることができる。これにより、ガス絶縁開閉装置５０の限られた設置スペースにより多くの遮断器１ａ，１ｂを設置することができる。
【００３５】
実施の形態２．
図７は、本発明の実施の形態２にかかるガス絶縁開閉装置の平面図である。図８は、図７に示すＥ−Ｅ線に沿った矢視断面図である。図９は、図７に示すＦ−Ｆ線に沿った矢視断面図である。図１０は、図７に示すＧ−Ｇ線に沿った矢視断面図である。図１１は、図７に示すＨ−Ｈ線に沿った矢視断面図である。なお、単線結線図は上記実施の形態１と同様であるため省略する。また、上記実施の形態と同様の構成については、同様の符号を付して詳細な説明を省略する。
【００３６】
実施の形態２にかかるガス絶縁開閉装置７０では、第１の遮断器１ａと第２の遮断器１ｂとの間となる地上に操作装置箱４０が設けられる。操作装置箱４０には、母線断路器／接地開閉器３，４，５を操作する操作機構および線路側断路器／接地開閉器／投入容量付接地開閉器６を操作する操作機構がまとめて収納されている。また、操作装置箱４０に収納された操作機構から延びる駆動ワイヤー４１が、母線断路器／接地開閉器３，４，５の操作装置２３，２４，２５および線路側断路器／接地開閉器／投入容量付接地開閉器６の操作装置２６，２７のそれぞれに接続される。
【００３７】
このように、操作装置箱４０側に操作機構をまとめることで、操作装置２３，２４，２５，２６，２７の構成を簡素化することができ、操作装置２３，２４，２５，２６，２７の薄型化を図ることができる。これにより、第１の遮断器１ａ同士の間隔および第２の遮断器１ｂ同士の間隔を狭めて、ガス絶縁開閉装置７０の矢印Ｘに示す方向へのより一層の小型化を図ることができる。
【００３８】
また、操作機構が操作装置箱４０側にまとめられているので、操作装置箱４０でまとめて操作および保守を行うことができるので、操作性および保守性の向上を図ることができる。また、操作装置箱４０が地上に設けられていることで、実施の形態１のように中空に設けられた操作装置２３，２４，２５，２６，２７を操作および保守するよりも、操作性および保守性が向上する。
【００３９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４０】
１ａ  第１の遮断器、１ａ１  第１の一端側遮断器、１ａ２  第１の他端側遮断器、１ｂ  第２の遮断器、１ｂ１  第２の一端側遮断器、１ｂ２  第２の他端側遮断器、２  計器用変流器（ＣＴ）、３，４，５  母線断路器／接地開閉器（母線ＤＳ／ＥＳ）、６  線路側断路器／接地開閉器／投入容量付接地開閉器（線路側ＤＳ／ＥＳ／ＦＥＳ）、７  ケーブル終端箱（ＣＳＥ）、８  ユニット間母線、１０  一端側回帰母線、１０ａ  鉛直部、１０ｂ  水平部、１１  他端側回帰母線、１１ａ  鉛直部、１１ｂ  水平部、２１  ＣＢ操作装置、２３，２４，２５，２６，２７  操作装置、４０  操作装置箱、５０，７０  ガス絶縁開閉装置、５１ａ  第１の接続部、５１ｂ  第２の接続部、５２ａ  第１の分岐部、５２ｂ  第２の分岐部、６１  第１の列、６２  第２の列、６３  口出し部。
【図１】
2017158397.tif 000003
【図２】
2017158397.tif 000004
【図３】
2017158397.tif 000005
【図４】
2017158397.tif 000006
【図５】
2017158397.tif 000007
【図６】
2017158397.tif 000008
【図７】
2017158397.tif 000009
【図８】
2017158397.tif 000010
【図９】
2017158397.tif 000011
【図１０】
2017158397.tif 000012
【図１１】
2017158397.tif 000013